(57)【要約】【課題】  操作部材の各部位に関する機能をデジタルカメラのＬＣＤに表示する。【解決手段】  撮影モードにおいて、ヘルプモードに移行すると、第１ヘルプ画像Ｒ１１をＬＣＤに表示する。デジタルカメラの十字キーの左右ボタンが押されると、ＬＣＤに第１ヘルプ画像Ｒ１１に替えて、第１ヘルプ画像Ｒ１２、Ｒ１３を表示する。第１ヘルプ画像Ｒ１１〜Ｒ１３には、カメライメージ１０７、１０８、１０９を表示する。十字キーの上下ボタンが押されることにより、カメライメージに表された操作部材に関する部位から、１つの部位が選択される。１つの部位が選択されたことは、キャラクタを用いて領域Ｂに表示する。ＯＫボタンがおされると、選択した部位に対応した機能を表示した第２ヘルプ画像Ｒ２１〜Ｒ２３をＬＣＤ上に表示する。【選択図】          図４
2005253054.tif 000002
【特許請求の範囲】
【請求項１】
操作部材と画像を表示するための表示部とを有する携帯映像機器であって、
前記携帯映像機器の少なくとも一部の外観が表され、前記操作部材に関する複数の部位を含む機器イメージが保存されるメモリと、
前記メモリから前記機器イメージを読み出す読出手段と、
この読み出された機器イメージとともに、前記複数の部位のうち少なくとも１つの部位に対応したキャラクタが表された第１の画像を前記表示部に表示する第１の表示手段と、
前記複数の部位から１つの部位が選択され、選択されたことを前記キャラクタを用いて前記表示部に表示する選択表示手段と、
前記選択された部位に関する機能が表示された第２の画像を前記表示部に表示する第２の表示手段と
を備える携帯映像機器。
【請求項２】
前記第２の表示手段は、前記表示部に前記第１の画像に替えて前記第２の画像を表示させることを特徴とする請求項１に記載の携帯映像機器。
【請求項３】
前記第１の表示手段は、選択可能な前記複数の部位に対応したキャラクタを全て表示することを特徴とする請求項１に記載の携帯映像機器。
【請求項４】
前記選択表示手段は、前記全て表示されたキャラクタのうち、前記選択された部位に対応するキャラクタを他のキャラクタと区別して表示することを特徴とする請求項３に記載の携帯映像機器。
【請求項５】
複数のモードから１つのモードが選択され、前記第２の表示手段は、前記選択されたモードに対応した前記機能を前記表示部に表示することを特徴とする請求項１に記載の携帯映像機器。
【請求項６】
前記複数のモードは、被写体を撮影するための撮影モードと、記録された画像を前記表示部に再生するための画像再生モードを含むことを特徴とする請求項５に記載の携帯映像機器。
【請求項７】
前記選択されたモードに応じて選択可能な前記複数の部位が異なることを特徴とする請求項５に記載の携帯映像機器。
【請求項８】
前記メモリには複数の機器イメージが保存され、前記読出手段は前記複数の機器イメージのうち１つを読み出すことを特徴とする請求項１に記載の携帯映像機器。
【請求項９】
複数のモードから１つのモードが選択され、前記読出手段は、前記選択されたモードに応じて、前記カメライメージを読み出すことを特徴とする請求項８に記載の携帯映像機器。
【請求項１０】
前記第１の表示手段は、前記機器イメージを、前記表示部の表示領域内において、前記機器イメージに含まれている操作部材が設置されている箇所に最も近い位置にある第１領域内に表示させるとともに、前記第１の画像を前記第１領域と隣接する第２領域内にそれぞれ表示することを特徴とする請求項１に記載の携帯映像機器。
【請求項１１】
前記第１領域は、前記表示部の表示領域における右端を含む領域であることを特徴とする請求項１０に記載の携帯映像機器。
【請求項１２】
前記第１の表示手段は、前記機器イメージを前記表示部の第１領域に、前記第１の画像を前記第１領域と隣接する第２領域にそれぞれ表示する一方、
前記第２の表示手段は、第２の画像を前記第１および第２領域それぞれよりも広い第３領域内に表示することを特徴とする請求項１に記載の携帯映像機器。
【請求項１３】
前記第１の画像は、前記複数の部位のうち少なくとも１つの部位に対応し文字で構成されるキャラクタを含むことを特徴とする請求項１に記載の携帯映像機器。
【発明の詳細な説明】
【技術分野】
【０００１】
本発明は、操作部材の機能の説明を表示部に表示する携帯映像機器に関する。
【背景技術】
【０００２】
近年、表示部を有する携帯映像機器、例えばデジタルカメラには、多岐多様な機能が備えられており、それに対応してデジタルカメラには多くの操作部材が設けられる。従来、これらの操作部材の機能を知るためには、取扱説明書が参照される。
【０００３】
また、従来、デジタルカメラが、パーソナルコンピュータに接続され、デジタルカメラの操作部材が操作されると、その操作の内容がパーソナルコンピュータの表示装置上に表示されるシステムが知られている（例えば特許文献１）。
【特許文献１】特開２００２−１２３３４９号公報
【発明の開示】
【発明が解決しようとする課題】
【０００４】
しかし、使用者はデジタルカメラを携帯する際に、取扱説明書も合わせて携帯しないときがある。したがって、デジタルカメラが使用される際に、取扱説明書が参照されない場合がある。また、特許文献１の発明においても、操作の内容を知るためにパーソナルコンピュータが必要とされるので、カメラが使用される際に、パーソナルコンピュータがない場合には、使用者は操作の内容を知ることができない。また、デジタルカメラのような携帯映像機器に設けられる表示装置は、特許文献１のようなパーソナルコンピュータの表示装置と比較して、圧倒的に表示面積および表示画質が劣っている。したがって、単純に特許文献1の技術を携帯映像機器のマイコン及び表示装置に転用することはできない。
【０００５】
そこで、本発明においては、簡単な構成で携帯映像機器の操作部材の機能を知ることができる携帯映像機器を提供することを目的とする。
【課題を解決するための手段】
【０００６】
本発明に係る携帯映像機器の機能表示装置は、操作部材と画像を表示するための表示部とを有する携帯映像機器に備えられ、この携帯映像機器自身の少なくとも一部が表され、操作部材に関する複数の部位を含む機器イメージが保存されるメモリと、メモリから機器イメージを読み出す読出手段と、この読み出された機器イメージとともに、複数の部位のうち少なくとも１つの部位に対応したキャラクタが表された第１の画像を表示部に表示する第１の表示手段と、複数の部位から１つの部位が選択され、選択されたことをキャラクタを用いて表示部に表示する選択表示手段と、選択された部位に関する機能が表示された第２の画像を表示部に表示する第２の表示手段とを備える。
【０００７】
第２の表示手段は、好ましくは表示部に第１の画像に替えて第２の画像を表示させる。また、第１の表示手段は、好ましくは選択可能な複数の部位に対応したキャラクタを全て表示し、さらに好ましくは、選択表示手段が、全て表示されたキャラクタのうち、選択された部位に対応するキャラクタを他のキャラクタと区別して表示する。
【０００８】
複数のモードから１つのモードが選択される場合、第２の表示手段は、選択されたモードに対応した機能を表示部に表示する。ここで、複数のモードは、被写体を撮影するための撮影モードと、記録された画像を表示部に再生するための画像再生モードを含む。
【０００９】
また複数のモードから１つのモードが選択される場合、選択されたモードに応じて選択可能な複数の部位が異なる。
【００１０】
メモリには複数の機器イメージが保存される場合、読出手段はこれら複数の機器イメージのうちから１つを読み出す。
【００１１】
複数のモードから１つのモードが選択される場合、読出手段は、選択されたモードに応じて、機器イメージを読み出す。
【００１２】
第１の表示手段は、機器イメージを、表示部の表示領域内において、機器イメージに含まれている操作部材が設置されている箇所に最も近い位置にある第１領域内に表示させるとともに、第１の画像を第１領域と隣接する第２領域内にそれぞれ表示することが好ましい。この場合、第１領域は、表示部の表示領域における右端を含む領域であることが良い。
【００１３】
第１の表示手段は、機器イメージを表示部の第１領域に、第１の画像を第１領域と隣接する第２領域にそれぞれ表示する一方、第２の表示手段は、第２の画像を第１および第２領域それぞれよりも広い第３領域内に表示することが好ましい。また、第１の画像は、複数の部位のうち少なくとも１つの部位に対応し文字で構成されるキャラクタを含むことが好ましい。
【発明の効果】
【００１４】
本発明においては、表示部に選択可能な複数の部位が表示されるので、使用者は表示部を見ながら１つの部位を容易に選択でき、その選択した部位の機能を表示部に容易に表示することができる。
【発明を実施するための最良の形態】
【００１５】
以下本発明に係る実施形態を図１〜図１５を用いて詳細に説明する。
【００１６】
図１は、本発明の一実施形態を適用したデジタルカメラの背面図である。
【００１７】
デジタルカメラの背面８０の左側には液晶パネル（画像ＬＣＤ）１１が設けられる。液晶パネル１１には、撮影レンズ及び撮像素子（図示せず）を介して得られた動画や静止画像等が表示される。液晶パネル１１の表示領域の右横には、十字キー１２が設けられ、十字キー１２中央部にはＯＫボタン２１が設けられる。
【００１８】
十字キー１２の周りにはヘルプ／Ｆｎボタン１３、ＤＩＳＰボタン１４、メニューボタン１５が設けられる。十字キー１２の上方には、望遠ボタン１６ａと広角ボタン１６ｂを有するズームボタン１６が設けられ、望遠ボタン１６ａまたは広角ボタン１６ｂが押されることにより液晶パネル１１に表示される画像の倍率が変更される。ズームボタン１６の横には、右から再生ボタン１７、消去ボタン１８が設けられる。
【００１９】
カメラ本体１０を背面から見たとき、カメラ本体１０の上部の右側にはレリーズボタン２０が設けられ、レリーズボタン２０の横にはモードダイヤル１９が設けられる。モードダイヤル１９は、ジョグダイアルであり、回転することにより撮影モードにおける撮影詳細モードが設定される。モードダイヤル１９の中央部には電源ボタン２２が設けられ、このボタンが押されることによりデジタルカメラの電源のＯＮ・ＯＦＦが行われる。
【００２０】
また図１に示すように、本実施形態においては、全ての操作部材、すなわち、十字キー１２、ＯＫボタン２１、ヘルプ／Ｆｎボタン１３、ＤＩＳＰボタン１４、メニューボタン１５、ズームボタン１６、再生ボタン１７、消去ボタン１８、モードダイヤル１９、レリーズボタン２０は、いずれも液晶パネル１１の表示領域の位置よりも右側に配置されている。
【００２１】
図２は、モードダイヤル１９を上面から見たときの拡大平面図を示す。モードダイヤル１９は、その上面に、９つのシンボルマークが付されている。９つのシンボルマークは、イージーシンボル１９０、ポートレートシンボル１９１、風景シンボル１９２、夜景シンボル１９３、動画シンボル１９４、録音シンボル１９５、フィルタシンボル１９６、プログラムシンボル１９７、およびピクチャシンボル１９８である。モードダイヤル１９が回転させられると、撮影詳細モードは、目盛り２２０と一致したシンボルマークに対応したモードに設定される。
【００２２】
図３は、デジタルカメラの主に電気的構成を示すブロック図である。デジタルカメラ１０には、ＤＳＰ（Digital Signal Processor）３０を有するマイコン３１が備えられる。デジタルカメラ１０においては、マイコン３１の制御により、ＬＣＤ１１に画像が表示され、メモリーカード４２に画像が記録される。マイコン３１は、各種スイッチ７０に接続され、各種スイッチ７０からの入力に基づいて制御される。
【００２３】
ＲＥＣ／ＰＬＡＹスイッチ３８は、再生ボタン１７が１度押される毎に、再生モードと撮影モードが切り替わるスイッチである。撮影モードにおいては、レンズ４０によって得られた動画がＬＣＤ１１上に表示される。すなわち、ＣＣＤ３６によって捉えられた画像は、相関二重サンプリング回路３４およびＡＤ変換器３５を介してデジタル信号としてマイコン３１内に入力され、マイコン３１において画像処理が施され、表示用画像データに変換される。表示用画像データは、画素数が間引かれた後、画像データとしてＳＲＡＭ４１内に格納され、この画像データはＬＣＤドライバ５８を介して、ＬＣＤ１１に動画として表示される。
【００２４】
撮影モードにおいて、レリーズボタン２０が半押しされると、ＳＷＳスイッチ３２がＯＮ状態になり測光が行われる。レリーズボタン２０が全押しされると、ＳＷＲスイッチ３３がＯＮ状態になり撮影が行われる。すなわち、レリーズスイッチ２０が押されると、露光制御等が行われ、ＣＣＤ３６で捉えられた画像が、記録用静止画像として画素数が間引かれず、インターフェース５９を介してメモリーカード４２に記録される。また、ＣＣＤ３６で捉えられた画像は、画素数が間引かれスクリーンネイルとしてもメモリーカード４２に記録される。
【００２５】
再生モードにおいては、メモリーカード４２に記録されたスクリーンネイルがＬＣＤ１１上に再生表示される。ここで、例えば十字キー１２の左右ボタンが押されれば、セレクトキー５２が入力され、ＬＣＤ上に表示される画像が撮影された順に切り替わる。なお、セレクトキー５２は、十字キー１２の上下左右ボタンに対応して４つのスイッチが設けられている。
【００２６】
ズームボタン１６において望遠ボタン１６ａが押されると、ＳＷＴスイッチ４７がＯＮ状態になり、液晶パネル１１に表示される動画や再生されている静止画像の倍率が大きくなる。広角ボタン１６ｂが押されるとＳＷＷスイッチ４８がＯＮ状態になり、動画や静止画像の倍率が小さくなる。すなわち、ＳＷＴスイッチ４７またはＳＷＷスイッチ４８がＯＮ状態になると、マイコン３１は、状況に応じて、フォーカシングレンズ駆動機構４９によってレンズ４０を駆動させ、または、ＤＳＰ３０によってＬＣＤ１１に表示される動画や静止画像の倍率を変更させる。
【００２７】
ＤＩＳＰスイッチ５０は、ＤＩＳＰボタン１４が押されることにより、ＤＩＳＰの表示状態が切り替わる。ＤＩＳＰスイッチ５０が表示の状態ならば、ＬＣＤ１１に画像等が表示されるが、非表示の状態ならば表示されない。
【００２８】
メニュースイッチ５１は、メニューボタン１５が押されることによりＯＮ、ＯＦＦが切り替わる。メニュースイッチ５１がＯＮ状態になると、デジタルカメラは各種設定モードに移行される。各種設定モードにおいては、セレクトキー５２の４つのスイッチの入力により設定事項が選択され、ＯＫボタン２１が押されＯＫスイッチ５３が入力されることにより、選択された設定事項が確定される。
【００２９】
ダイヤルスイッチ４４は、複数のスイッチから構成され、モードダイヤル１９のダイヤル位置に合わせて、それぞれのスイッチのＯＮ、ＯＦＦが切り替えられる。例えば目盛り２２０に一致する部位が、イージーシンボル１９０が付された部位ならば、イージーモードスイッチがＯＮ状態になり、ポートレートモードスイッチ、風景モードスイッチ等の他のスイッチはＯＦＦ状態になる。デジタルカメラが撮影モードである場合、ＯＮ状態になったスイッチに応じて、撮影詳細モードが設定される。すなわち、撮影詳細モードは、イージーモード、風景モード、夜景モード、動画モード、ボイスレコーディングモード、デジタルエフェクトモード、プログラムモード、およびピクチャモードから１つ選択されて設定される。撮影モードにおいては、設定された撮影詳細モードに合わせて、撮影の詳細な条件が設定される。ただし、ボイスレコーディングモードにおいては、画像が撮影される代わりに、音声が録音される。
【００３０】
ＭＡＩＮスイッチ５４は、電源ボタン２２が押されることにより、ＯＮ、ＯＦＦが切り替わり、ＯＮ状態になると、デジタルカメラ１０の動作が開始し、ＯＦＦ状態になるとデジタルカメラ１０の動作は終了する。
【００３１】
ヘルプスイッチ５５は、撮影モードにおいて撮影詳細モードがイージーモードである場合、および再生モードである場合に、ヘルプ／Ｆｎボタン１３が押されることによりヘルプモードのＯＮ・ＯＦＦ（動作・非動作）が切り替わるスイッチである。撮影詳細モードがイージーモード以外である場合に、ヘルプ／Ｆｎボタン１３が押されると、Ｆｎスイッチ６０が入力される。
【００３２】
マイコン３１には、ＥＥＰＲＯＭ（Electronically Erasable Programmable Read Only Memory）９０が接続される。ＥＥＰＲＯＭ９０には、ヘルプモードで領域Ａ、Ｂ、Ｃ１、Ｃ２に表示されるカメライメージ、キャラクタ画像、機能説明画像（図４参照）等の各種画像、表１〜４に示すテーブル、およびカメラ動作に必要なデータ等が予め格納されている。デジタルカメラがヘルプモードに移行したとき、ヘルプモードで使用されるこれらの各種画像、および表１〜４に示すテーブルは、ＥＥＰＲＯＭ９０から読み出され、ＳＲＡＭ４１の所定の領域に格納される。ただし、ＳＲＡＭ４１の記憶容量に余裕がある場合、これら各種画像およびテーブルは、デジタルカメラ１０の電源がＯＮされるときにＥＥＰＲＯＭ９０から読み出され、ＳＲＡＭ４１の所定の領域に格納されても良い。
【００３３】
図４を用いて本実施形態のデジタルカメラの撮影ヘルプモードにおける動作を説明する。ＲＥＣ／ＰＬＡＹスイッチ３８が撮影モードである場合、ヘルプスイッチ５５がＯＮ状態になると、撮影ヘルプモードに移行される。このモードに移行されると、初期状態においては、ＬＣＤ１１上には第１ヘルプ画像Ｒ１１が表示される。
【００３４】
第１ヘルプ画像Ｒ１１は、十字キー１２の左右ボタンが押されると、第１ヘルプ画像Ｒ１２またはＲ１３に切り替えられる。第１ヘルプ画像Ｒ１１〜１３には、操作部材の複数の部位が表示され、それらの複数の部位から、１つの部位が使用者によって選択され、その選択が確定されると、その選択された部位に関する機能が第２ヘルプ画像Ｒ２１〜Ｒ２３に表示される。ここで、第１ヘルプ画像Ｒ１１〜Ｒ１３が表示されているとき、各第１ヘルプ画像に応じて、使用者によって選択され得る部位は、選択可能な部位として予め定められている。
【００３５】
第１ヘルプ画像Ｒ１１〜Ｒ１３は４つの領域に分割され、右側がイメージ表示領域Ａ（第１領域）、左側がキャラクタ表示領域Ｂ（第２領域）、上部がタグ表示領域Ｃ１、下部が共通項目表示領域Ｃ２となる。
【００３６】
イメージ表示領域Ａには、デジタルカメラ１０の外観の一部が表された画像であって、操作部材を含むデジタルカメラ１０の一部が表されたカメライメージ（機器イメージ）が書き込まれる。画像Ｒ１１においては、モードタイヤル１９が表された第１のカメライメージ１０７が、画像Ｒ１２においては十字キー１２が表された第２のカメライメージ１０８が、画像Ｒ１３においては背面に備えられた全てのボタンが表示された第３のカメライメージ１０９が書き込まれている。すなわち、画像Ｒ１１〜Ｒ１３のイメージ表示領域Ａにおいて、デジタルカメラ１０のほぼ全ての操作部材が表されていることとなる。
【００３７】
イメージ表示領域Ａは、液晶パネル１１の表示領域において、中央位置から右端位置に至るほぼ右側半分の領域が割り当てられている。前述のように、操作部材は全て液晶パネル１１よりも右側配置されているので、このイメージ表示領域Ａは、表示領域において十字キー１２やズームボタンなど、第１〜第３カメライメージ内に含まれている操作部材の各設置箇所に最も近い位置となっている。
【００３８】
キャラクタ表示領域Ｂには、キャラクタ画像が表示される。キャラクタ画像は、選択可能な部位のうち少なくとも１つの部位に対応するキャラクタを有する。タグ表示領域Ｃ１には、カメライメージ１０７〜１０９に表示された操作部材に関する内容が表示されている。本実施形態では、画像Ｒ１１においては「モードタイヤル」、画像Ｒ１２においては「十字キー」、画像Ｒ１３においては「背面ボタン」と表記されており、それぞれ操作部材の名称が表示されている。
【００３９】
撮影ヘルプモードにおいては、ＳＲＡＭ４１（図３参照）に、表１に示すテーブルが格納されていることから明らかなように、ＳＲＡＭ４１には選択可能な部位が選択部位として予め格納されており、第１ヘルプ画像（Ｒ１１、Ｒ１２、Ｒ１３）に応じて、それぞれ選択可能な部位が読み出される。例えば第１ヘルプ画像Ｒ１１においては、モードダイヤル１９の上面が、異なるシンボルマークが表された９つの部位を有するので、これら９つの部位が選択可能な部位として読み出される。
【００４０】
ここで、その選択可能な複数の部位のうちから１つの部位が十字キー１２の上下ボタンが押されることにより選択される。そして、第１ヘルプ画像Ｒ１１におけるキャラクタ表示領域Ｂのキャラクタ画像には、その選択された部位に対応したシンボルマーク（ピクトグラフ）がシンボルマーク表示枠１０５内に表示される。さらに、シンボルマーク表示枠１０５の下部にはその選択された部位を簡単に説明するための内容説明１０６が表される。
【００４１】
すなわち、イージーシンボル１９０が表された部位が選択されている場合、図４に示すように、表示枠１０５内にはイージーシンボル１９０が表され、内容説明１０６も“イージー”と表記される。これにより、使用者は、選択されている部位がイージーシンボル１９０が付された部位であることが理解できる。
【００４２】
ここで、例えば十字キー１２の上下ボタンが押されると、選択される部位がポートレートシンボル１９１が表された部位に変更される。すると、表示枠１０５内にはポートレートシンボル１９１が表され、内容説明１０６も“ポートレート”と表記される。
【００４３】
第１ヘルプ画像Ｒ１２においては、上下左右の４つのボタンとＯＫボタンが選択可能な部位としてＳＲＡＭ４１から読み出される。第１ヘルプ画像Ｒ１３においては、ヘルプ／Ｆｎボタン１３、ズームボタン１６、ＤＩＳＰボタン１４、メニューボタン１５が選択されるべき部位としてＳＲＡＭ４１から読み出される。なお、再生ボタン１７、消去ボタン１８は、第３のカメライメージ１０９には表されているが、撮影モードにおいては使用されないボタンであるため、選択可能な部位としは読み出されない。
【００４４】
第１ヘルプ画像Ｒ１２、Ｒ１３においては、選択可能な部位に関するキャラクタ（部位の名称）の全てが、キャラクタ表示領域Ｂに表示されるキャラクタ画像内のキャラクタリスト１１７、１１８に表示されている。ここで、第１ヘルプ画像Ｒ１２、Ｒ１３においては、キャラクタは文字から構成され、各部位の名称を表した文字キャラクタである。カメライメージ１０８、１０９においては、カメライメージ中に表された各部位から、対応するキャラクタに向けて引き出し線１１０が引かれており、部位とキャラクタとの対応関係が一見して理解できる。また、選択された部位に関するキャラクタは矩形の選択表示枠１１９で囲まれ、他のキャラクタと区別されるように表示される。
【００４５】
したがって、使用者はキャラクタリスト１１７、１１８と選択表示枠１１９を見ながら、上下ボタンを押して、操作部材の１つの部位を選択することができる。
【００４６】
使用者はさらにＯＫボタン２１を押すことにより、ＬＣＤ１１上に第１ヘルプ画像Ｒ１１〜Ｒ１３に替えて、第２ヘルプ画像Ｒ２１〜Ｒ２３を表示させることができる。第２ヘルプ画像Ｒ２１〜Ｒ２３には、選択された部位に関する機能が、選択された部位に応じて表示される。したがって、使用者は、第２ヘルプ画像により、操作部材の各部位に関する機能について、容易に理解することができる。なお、部位に関する機能については、撮影モードに対応した機能について説明される。
【００４７】
第２ヘルプ画像Ｒ２１〜Ｒ２３も同様に４つの領域に分割され、右側がイメージ表示領域Ａ、右側がキャラクタ表示領域Ｂ、上部がタグ表示領域Ｃ１、下部が共通項目表示領域Ｃ２となる。そして、イメージ表示領域Ａおよびキャラクタ表示領域Ｂに機能に関する説明内容が具体的に表示される。
【００４８】
すなわち、例えばイージーシンボル１９１が付された部位が選択されている場合に、ＯＫボタン２１が押されると、図４に示すように第２ヘルプ画像Ｒ２１においては、領域Ａと領域Ｂとを合わせた、比較的大きな領域Ａ＋Ｂ（第３領域）内でイージーモード機能説明画像（Ｒ）が表示される。このように、機能説明画像表示の場合は、領域Ａおよび領域Ｂそれぞれより広い第３領域を用いるので、説明のための文字情報などを使用者に見易く表示することができる。また、説明内容の文字数を多くすることも可能であり、様々な説明形態に対応できる。
【００４９】
なお、第１ヘルプ画像Ｒ１１〜Ｒ１３が表示されている場合において、ヘルプ／Ｆｎボタン１３が押されると、ヘルプスイッチ５５が入力され、ヘルプモードが解除され、通常の撮影モードに戻る。また、第２ヘルプ画像Ｒ２１〜Ｒ２３が表示されているときに、ヘルプ／Ｆｎボタン１３ボタンが押されると、ＬＣＤ１１上には第２ヘルプ画像Ｒ２１〜Ｒ２３に替えて第１ヘルプ画像Ｒ１１〜Ｒ１３がそれぞれ表示される。また、共通項目表示領域Ｃ２には、ヘルプ／Ｆｎボタン１３およびＯＫボタン２１の機能について表示されている。
【００５０】
なお、第１ヘルプ画像Ｒ１１〜１３および第２ヘルプ画像Ｒ２１〜Ｒ２３の各領域（Ａ、Ｂ、Ｃ１およびＣ２）の画像は、後述するように、ＳＲＡＭ４１から読み出される。
【００５１】
図５を用いて本実施形態のデジタルカメラの再生ヘルプモードにおける動作を説明する。ＲＥＣ／ＰＬＡＹスイッチ３８が、再生モードである場合、ヘルプスイッチがＯＮ状態になると、再生ヘルプモードに移行される。このモードでは、撮影ヘルプモードと同様に、再生モードにおける操作部材の各部位に関する機能がＬＣＤ１１上に表示される。
【００５２】
再生ヘルプモードにおいて、第１ヘルプ画像Ｐ１１のイメージ表示領域Ａには、十字キーが表された第４のカメライメージ１５６が、第１ヘルプ画像Ｐ１２のイメージ表示領域Ａには、背面の設けられた全てのボタンが表された第５のカメライメージ１５１が表示される。
【００５３】
ただし、モードタイヤルは再生モードにおいては使用されないので、モードタイヤルが表されたカメライメージは第１ヘルプ画像Ｐ１１、Ｐ１２には表示されない。つまり、選択されるモードに応じてカメライメージは読み出されるので、再生ヘルプモードおよび撮影ヘルプモードにおいて読み出されるカメライメージは異なる。
【００５４】
第１ヘルプ画像Ｐ１１、Ｐ１２においては、撮影ヘルプモードのときと同様に、それぞれ選択可能な部位がＳＲＡＭ４１から読み出される。第１ヘルプ画像Ｐ１１においては、上下左右の４つのボタンとＯＫボタンが選択可能な部位としてＳＲＡＭ４１から読み出される。第１ヘルプ画像Ｐ１２においては、ヘルプ／Ｆｎボタン１３、ズームボタン１６、ＤＩＳＰボタン１４、メニューボタン１５に加えて、再生ボタン１７、消去ボタン１８が選択されるべき部位として、ＳＲＡＭ４１から読み出される。すなわち、再生ボタン１７、消去ボタン１８は、撮影モードでは使用されないが、再生モードでは使用されるので、選択可能部位としてＳＲＡＭ４１から読み出される。つまり、再生ヘルプモードでは、撮影ヘルプモードとＳＲＡＭ４１から読み出される部位が異なる。
【００５５】
なお、キャラクタ表示領域Ｂには、キャラクタ画像が表示され、これら画像には第１ヘルプ画像Ｒ１２、Ｒ１３と同様にキャラクタリスト１５２、１５３が書き込まれる。キャラクタリスト１５２、１５３には、第１ヘルプ画像Ｒ１２、１３と同様に、選択されるべき部位に関する文字キャラクタがすべて表示されている。
【００５６】
ここで、撮影ヘルプモードと同様に、左右ボタンが押されることにより、ＬＣＤ１１に表示される画像がＰ１１〜Ｐ１２に変更され、上下ボタンが押されると、選択される操作部材の部位が変更される。キャラクタ表示領域Ｂには、撮影ヘルプモードと同様に、選択された部位に関するキャラクタが表示枠１１９で囲まれるので、使用者はいずれの部位が選択されているかが容易に理解できる。
【００５７】
第１ヘルプ画像Ｐ１１、Ｐ１２が表示されているときに、ＯＫボタン２１が押されると、再生ヘルプモードと同様に、ＬＣＤ１１上には画像Ｐ１１、Ｐ１２に替えて、それぞれ第２ヘルプ画像Ｐ２１、Ｐ２２が表示される。第２ヘルプ画像Ｐ２１、Ｐ２２には、撮影ヘルプモードと同様に選択された部位に関する機能が、選択された部位に応じて表示される。すなわち、例えば第１ヘルプ画像Ｐ１１において、右ボタンが選択されていれば、第２ヘルプ画像Ｐ２１においては右ボタン機能説明画像（Ｐ）が表示される。
【００５８】
なお、操作部材の部位に関する機能は、撮影モードと再生モードで異なるので、機能説明画像は選択されたモードに応じて読み出されるように設定されている。
【００５９】
図６は、本実施形態の画像合成方法の模式図を、図７は、領域Ｂに書き込まれるキャラクタ画像を示す。図６、７を用いて撮影ヘルプモードにおける第１ヘルプ画像Ｒ１１〜Ｒ１３および第２ヘルプ画像Ｒ２１〜Ｒ２３の生成方法について説明する。画像Ｒ１１〜Ｒ１３および画像Ｒ２１〜Ｒ２３は、先述したように４つの領域Ａ、Ｂ、Ｃ１、Ｃ２を有する。各領域Ａ、Ｂ、Ｃ１、Ｃ２に書き込まれるべき複数の画像は、先述したようにヘルプモードに移行されるときにＥＥＰＲＯＭ９０から読み出され、ＳＲＡＭ４１に予め格納されている。そして、複数の画像から選択された１つの画像が各領域に書き込まれる。
【００６０】
４つの領域Ａ、Ｂ、Ｃ１、Ｃ２に書き込まれる画像および選択される部位は、表示制御テーブル（表１〜４）の制御ＩＤ（Ｒｍｎ（ｓ））に従って決定される。表示制御テーブル（表１〜４）は、先述したように、ヘルプモードに移行されたときに、ＥＥＰＲＯＭ９０から読み出され、ＳＲＡＭ４１に予め格納されている。
【００６１】
【表１】
2005253054.tif 000003
【００６２】
【表２】
2005253054.tif 000004
【００６３】
【表３】
2005253054.tif 000005
【００６４】
【表４】
2005253054.tif 000006
【００６５】
ここで、撮影モードにおいてヘルプスイッチがＯＮ状態になると、制御ＩＤはＲ１１（１）となるように設定されている。したがって、表１に示すように選択されている部位はイージーキャラクタ１９０が付された部位である。そして、領域Ａには第１のカメライメージ１０７が、領域ＢにはキャラクタＡ画像１２０が、領域Ｃ１には第１のタブ画像１３０が、領域Ｃ２には第１の固定画像１４１が、それぞれＳＤＲＭ４１から読み出されて書き込まれる。したがって、初期状態においては、ＬＣＤ１１上には図４に示すような第１ヘルプ画像Ｒ１１が表示される。
【００６６】
ここで、十字キーの上下ボタンが押されると、制御ＩＤ（Ｒｍｎ（ｓ））のｓが１ないし９に変更され、選択される部位が変更される。例えば、上下ボタンの操作により、ｓ＝２となると、選択される部位は、ポートレートシンボル１９１が付された部位に変更される。すると、表１に示すように領域Ｂにおけるキャラクタ画像がキャラクタＡ画像１２０からキャラクタＢ画像１２１に変更され、その他の領域の画像は変更されない。
【００６７】
また、十字キーの左右ボタンが押されると、制御ＩＤ（Ｒｍｎ（ｓ））のｎが１ないし３に変更されるとともに、ｓが１に変更される。したがって、表１に示すように、領域Ａ、Ｂ、Ｃ１の画像が変更され、表示されるカメライメージが変更されるとともに、選択される部位も変更される。
【００６８】
例えば、ｎが２に変更されると、領域Ａには第２のカメライメージ１０８が、領域Ｂには十字キーキャラクタ画像１３５が、領域Ｃ１には第２のタブ画像１３１が書き込まれ、ＬＣＤ１１上には図４に示す第１ヘルプ画像Ｒ１２が表示される。
【００６９】
ｎが２のときには、さらに選択位置画像１５０が合成される。選択位置画像１５０には、キャラクタリスト１１７のうち選択された部位に対応するキャラクタのみが囲まれるように選択表示枠１１９が表されている。
【００７０】
ここで上下ボタンが押されると、ｓが１ないし５に変更され、選択される部位が変更される。選択される部位が変更されると、それに合わせて表示枠１１９の表示位置が変更され、選択されている部位に対応するキャラクタが表示枠１１９に囲われる。なお、ｎが３のときも、ｎが２のときと同様に画像が生成される。
【００７１】
ＯＫボタンが押されると、制御ＩＤ（Ｒｍｎ（ｓ））のｍが１から２に変更される。すなわち、ＬＣＤ１１上に第１ヘルプ画像Ｒ１１、Ｒ１２、Ｒ１３が表示されているときに、ＯＫボタンが押されると、領域Ａ、Ｂには、選択されている部位に関する機能説明画像がＳＲＡＭ４１から読み出され書き込まれる（図４参照）。例えば、イージーモードが付された部位が選択されている場合、制御ＩＤはＲ２１（１）となるので、領域ＡおよびＢにはイージーモード機能説明画像（Ｒ）が表示される。ここで、領域Ｃ１には、何も表示されないが、表２のテーブルに示すように領域Ｃ２には第２の固定画像１４２が表示される。
【００７２】
なお、再生ヘルプモードにおいては、制御ＩＤがＰｍｎ（ｓ）となるが、領域Ａ、Ｂ、Ｃ１ないしＣ２への画像の書き込み方法は撮影ヘルプモードと同様である。
【００７３】
なお、本実施形態においては、領域Ｂに表示されるキャラクタ画像は、予めＥＥＰＲＯＭ９０に格納され、ヘルプイメージに移行されたときに読み出され、ＳＲＡＭ４１に格納されるが、キャラクタ画像内に表示されるキャラクタが文字キャラクタである場合、キャラクタ画像は、予めＥＥＰＲＯＭ９０に格納されていなくても良い。この場合、文字キャラクタは、ＤＳＰ３０において必要に応じて生成され、領域Ｂ内に直接書き込まれる。同様に、機能説明画像が文字で構成される場合、機能説明画像は、予めＥＥＰＲＯＭ９０に格納されていなくても良く、ＤＳＰ３０によって必要に応じて生成され、領域ＡおよびＢ内に直接書き込まれても良い。
【００７４】
図８は、本実施形態におけるデジタルカメラのルーチンを示すフローチャートである。本フローにおいては、まずステップＳ２００で、メインスイッチ５４（図３参照）がＯＮ状態か否かが判定される。メインスイッチ５４がＯＮ状態ならば、ステップＳ２１０に進み、メインスイッチ５４がＯＦＦ状態ならば、メインスイッチ５４がＯＮ状態になるまで、ステップＳ２００で待機させられる。
【００７５】
ステップＳ２１０では、ヘルプスイッチ５５がＯＮ状態か否かが判定され、ヘルプスイッチ５５がＯＮ状態ならば、ステップＳ２２０に進みヘルプモードに移行する。ヘルプスイッチ５５がＯＦＦ状態ならば、ステップＳ２３０に進む。ステップＳ２３０では、ＲＥＣ／ＰＬＡＹスイッチ３８が再生モードか撮影モードかが判定され、撮影モードであるならば、ステップＳ２４０に進み、再生モードならばステップＳ３２０に進む。ステップＳ２４０においては、ＬＣＤ１１にＣＣＤ３６で捉えられた動画が表示される。
【００７６】
ステップＳ２５０では、ＳＷＳスイッチ３２がＯＮ状態か否かが判定され、ＯＮ状態ならば、レリーズボタン２０（図１参照）が半押しされていると判断して、ステップＳ２６０において焦点調整および測光が行われる。ステップＳ２７０では、ＳＷＲスイッチ３３がＯＮ状態か否かが判定される。ＯＮ状態ならば、レリーズボタン２０が全押しされたと判断され、ステップＳ２８０で、ＣＣＤ３６で捉えられた画像が記録用静止画像として生成され、ＳＲＡＭ４１に格納される。ステップＳ２９０では、ＣＣＤ３６で捉えられた画像が、さらにスクリーンネイルにも変換され、スクリーンネイルもＳＤＲＭ４１に格納される。ステップＳ２５０またはＳ２７０において、それぞれのスイッチがＯＦＦ状態と判定されると、ステップＳ２１０に戻る。
【００７７】
記録用静止画像及びスクリーンネイルは、ステップＳ３００でメモリーカード４２に記録される。メモリーカード４２への記録用静止画像等の記録が終了すると、ステップＳ２００に戻る。
【００７８】
ステップＳ２３０において、再生モードと判定されると、ステップＳ３２０で、メモリーカード４２内に記録されている記録用静止画像に対応するスクリーンネイルが読み出される。ここで、初期状態においては最新の記録用静止画像に対応するスクリーンネイルが読み出される。ステップＳ３３０において、読み出されたスクリーンネイルがＬＣＤ１１上に表示される。
【００７９】
ステップＳ３４０では、十字キー１２の左右ボタンが押された否かが判定される。左右ボタンが押されると、ステップＳ３５０ではその入力に応じて、ステップＳ３２０で読み出されるべきスクリーンネイルを変更させる。ステップＳ３４０において、左右方向キー１２が押されていないと判断されると、ステップＳ２００に戻る。また、ステップＳ３５０が終了しても、ステップＳ２００に戻る。
【００８０】
図９〜図１５は、ヘルプモードにおけるルーチンのフローチャートを示す。図９は、第１ヘルプ画像Ｒ１１表示処理ルーチンを示す。ヘルプモードにおいては、ステップＳ４００では、ＲＥＣ／ＰＬＡＹスイッチ３８が再生モードか撮影モードかが判定され、再生モードであるならば、第１ヘルプ画像Ｐ１１表示処理（図１３）に進み、撮影モードならば第１ヘルプ画像Ｒ１１表示処理に進む。すなわち、撮影モードである場合に、ヘルプスイッチ５５が入力されると、第１ヘルプ画像Ｒ１１が表示され、撮影ヘルプルーチンに進む。一方、再生モードである場に、ヘルプスイッチ５５が入力されると、第１ヘルプ画像Ｐ１１が表示され、再生ヘルプルーチンに進む。
【００８１】
第１ヘルプ画像Ｒ１１表示処理においては、ステップＳ４１０では、制御ＩＤが、Ｒ１１（１）に設定され、続いてステップＳ４１０で制御ＩＤに基づき、領域Ａに第１のカメライメージ１０７が書き込まれる（表１参照）。
【００８２】
ステップＳ４３０では、制御ＩＤに基づいて、領域Ｂ、領域Ｃ１、Ｃ２に画像が書き込まれる。すなわち、初期状態では、制御ＩＤは、Ｒ１１（１）であるので領域ＢにはキャラクタＡ画像１２０が書き込まれる。つまり、第１ヘルプ画像Ｒ１１表示処理における初期状態では、選択部位はイージーキャラクタ１９０が付された部位に定められている。
【００８３】
ステップＳ４４０では、方向キーの上下ボタンが押されたか否かが判定される。ステップＳ４４０で方向キーの上下ボタンが押されたと判断されると、ステップＳ４５０に進む。ステップＳ４５０では、上下ボタンが入力された方向および時間に対応して制御ＩＤ（Ｐ１１（ｓ））のｓが１ないし９に変更される。ここで、例えばｓ＝２に設定されれば、表１の制御用テーブルに示すように領域ＢにはキャラクタＢ画像１２１が書き込まれる。ステップＳ４４０で方向キーの上下ボタンが押されていないと判断されると、ステップＳ４６０に進む。
【００８４】
ステップＳ４６０では、十字キーの左右ボタンが押された否かが判断される。左右ボタンが押されたと判断されると、Ｓ４７０において左右ボタンの入力方向および入力時間に応じて、ｎ値が変更され、ステップＳ４８０に進む。ステップＳ４８０では、ｎが１か否かが判定され、ｎが１ならば、ステップＳ４１０に戻り、ｎが１以外ならばステップＳ４８１に進む。ステップＳ４８１では、ｎが２か否かが判定され、ｎが２ならば、ステップＳ５１０に進み、ｎが２でないならば、ｎは３であるのでステップＳ６１０に進む。
【００８５】
ステップＳ４６０で、左右ボタンが入力されていないと判定されると、ステップＳ４９０に進む。ステップＳ４９０では、ＯＫボタン２１が押されたか否かが判定され、ＯＫボタン２１が押されていないと判定されると、ステップＳ４９１に進む。ステップＳ４９１では、ヘルプ／Ｆｎボタン１３が押されたか否かが判定され、ヘルプ／Ｆｎボタン１３が押され、ヘルプスイッチ５５が入力されたと判定されると、撮影ヘルプモードは解除されステップＳ２３０に戻る（図８参照）。ステップＳ４９１でヘルプ／Ｆｎボタン１３が押されていないと判断されると、ステップＳ４２０に戻る。一方、ステップＳ４９０でＯＫボタン１１が押されていると判定されると、機能説明表示処理ルーチンに進む（図１２参照）。
【００８６】
図１０は、第１ヘルプ画像Ｒ１２の表示処理ルーチンを示す。ステップＳ５１０では、カメライメージ１０８が領域Ａに書き込まれる。ステップＳ５２０では、十字キーキャラクタ画像１２５が領域Ｂに、さらに領域Ｃ１、Ｃ２にも所定の画像が書き込まれる。ステップＳ５３０では、表示枠１１９がｓ＝１に対応する位置に表示される。すなわち、第１ヘルプ画像Ｒ１２の表示処理の初期状態において、制御ＩＤはＲ１２（１）に定められており、選択部位は右ボタンに定められている。
【００８７】
ステップＳ５４０では、十字キーの上下ボタンが押されたか否かが判定され、押されたと判断されると、ステップＳ５５０に進み、押されていないと判断されると、ステップＳ５７０に進む。ステップＳ５５０では、上下ボタンの押された時間および押された方向に応じてｓの値が１ないし５に変更される。ｓの値が変更されると、ステップＳ５６０でそのｓの値に合わせて表示枠１１９の位置が変更され、ステップＳ５７０に進む。
【００８８】
ステップＳ５７０では、左右ボタンが押されたか否かが判定され、押されていないと判定されるとステップＳ５８０に進み、押されたと判定されるとステップＳ５９０に進む。ステップＳ５９０以降は、図９におけるステップＳ４７０と同様である。ステップＳ５８０ではＯＫボタン２１が押されたか否かが判定され、ＯＫボタン２１が押されていないと判定されると、ステップＳ５８１に進む。ステップＳ５８１では、ヘルプスイッチ５５が入力されたと判定されると、撮影ヘルプモードは解除されステップＳ２３０に戻る。ステップＳ５８１でヘルプスイッチ５５が入力されていないと判断されると、ステップＳ５４０に戻る。一方、ステップＳ５８０でＯＫボタン２１が押されていると判定されると、機能説明表示処理ルーチンに進む（図１２参照）。
【００８９】
図１１は、第１ヘルプ画像Ｒ１３の表示処理ルーチンを示す。ここで、ステップＳ６１０以降のルーチンは、第１ヘルプ画像Ｒ１２の表示処理ルーチンと同様である。
【００９０】
図１２は、機能説明表示処理ルーチンを示す。ステップＳ４９０、Ｓ５８０、Ｓ６８０でＯＫボタンが押されたと判断されると、ステップＳ７１０に進み、機能説明表示処理ルーチンが開始される。ステップＳ７１０では、制御ＩＤのｍの値がｍ＝１からｍ＝２に変更される。ステップＳ７２０では、制御テーブルの制御ＩＤに該当する画像が領域Ａ、Ｂ、Ｃ１およびＣ２に書き込まれる。すなわち、例えば、選択された部位が右ボタンであった場合には、制御ＩＤはＲ２２（１）となるので、領域ＡおよびＢには、右ボタン機能説明画像（Ｒ）が書き込まれる。右ボタン機能説明画像（Ｒ）は、選択されたモードすなわち撮影モードにおける右ボタンの機能を説明したものである。
【００９１】
ステップＳ７３０では、ヘルプ／Ｆｎボタン１３が押されたか否かが判断される。ヘルプ／Ｆｎボタン１３が押されると、ステップＳ７３５に進み、制御ＩＤのｍの値が１に変更され、ステップＳ４８０に戻る。ヘルプ／Ｆｎボタン１３が押されていない場合、ステップＳ７４０に進み、Ｓ７４０ではＯＫボタンが押されたか否かが判断される。ＯＫボタンが押されていると、撮影ヘルプモードは終了し、通常の撮影モード（ステップＳ２３０）に戻る。
【００９２】
図１３は、再生ヘルプモードルーチンのフローチャートを示す。再生ヘルプモードにおいては、まず第１ヘルプ画像Ｐ１１表示処理が開始される。ここで、第１ヘルプ画像Ｐ１１表示処理においては、まずステップＳ８００では制御ＩＤ（Ｐｍｎ（ｓ））がＰ１１（１）に定められる。ステップＳ８１０では、制御ＩＤに従って領域Ａにカメライメージ１５６が書き込まれる。ステップＳ８２０では、領域Ｂに十字キーキャラクタ画像１６２が書き込まれるとともに、表３のテーブルに従って領域Ｃ１、Ｃ２にも所定の画像が書き込まれる。
【００９３】
ステップＳ８３０では、制御ＩＤに基づいて、表示枠１１９の表示される位置が設定される。すなわち、初期状態では、制御ＩＤは、Ｐ１１（１）であるので、表３のテーブルに示すように右ボタンのキャラクタを囲むように表示枠１１９が設定される。
【００９４】
ステップＳ８４０では、方向キーの上下ボタンが押されたか否かが判定される。ステップＳ８４０で方向キーの上下ボタンが押されたと判断されると、ステップＳ８５０に進む。ステップＳ８５０では、上下ボタンが入力された方向および時間に対応してキャラクタ制御ＩＤ（Ｐ１１（ｓ））のｓが１ないし５に変更される。ここで、例えばｓ＝２に変更されれば、ステップＳ８６０で表３の制御用テーブルに示すように表示枠１１９は上ボタンを囲むように設定される。
【００９５】
ステップＳ８４０で方向キーの上下ボタンが押されていないと判断されると、ステップＳ８７０に進む。ステップＳ８７０以下は、図９に示すステップＳ４６０以下と同様のルーチンである。なお、ステップＳ８９２でｎ＝２であると判断されると、ステップＳ９１０に進む。ステップＳ９１０以下（図１４参照）はステップＳ８１０以下と略同様に、表３のテーブルに基づいて制御ＩＤ（Ｐ１ｎ（ｓ））が変更され、表３のテーブルに従って各領域に画像が書き込まれる。
【００９６】
図１５は、再生ヘルプモードにおける機能説明ルーチンを示す。ステップＳ８８０でＯＫボタンが押されたと判断されると、ステップＳ１０１０に進み、機能説明表示処理ルーチンが開始される。ステップＳ１０１０以下のルーチンは図１０における機能説明ルーチンと同様である。ただし、再生ヘルプモードにおいては、制御ＩＤ（Ｐ２ｎ（ｓ））は、表４のテーブルに基づいて変更され、表４のテーブルに従って各領域に画像が書き込まれる。ステップＳ１０２０において、例えば制御ＩＤがＰ２１（１）である場合、領域Ａ、Ｂには右ボタン機能説明画像（Ｐ）が表示される（表４参照）。ここで、右ボタン機能説明画像（Ｐ）は、再生モードにおける右ボタンの機能を表示したものであるので、撮影ヘルプモードにおいて表示される右ボタン機能説明画像（Ｒ）とは内容が異なる。撮影モードと、再生モードでは右ボタンの機能が異なるからである。その他の部位に関する機能の説明においても同様である。
【００９７】
なお、図９に示すように、撮影ヘルプモードに移行した場合、初期状態では、ＬＣＤ１１にはモードスイッチが表されたカメライメージ１０７が表示されるが、これはモードスイッチが背面ボタンおよび上下ボタンに比べ使用頻度が高いからである。
【００９８】
なお、本明細書においては、「キャラクタ」は「文字」「数字」のみならず「シンボル」、「シンボルマーク」、「マーク」、「アイコン」、「図」、「記号」等を含むものとする。
【００９９】
また、本実施形態において、カメライメージはデジタルカメラの外観の一部を表したものであったが、デジタルカメラ全体を表したものであっても良い。この場合、ＳＲＡＭ４１に格納されるカメライメージは１枚であっても良い。また、撮影ヘルプモード用、再生ヘルプモード用にそれぞれ１枚ずつ格納されていても良い。
【図面の簡単な説明】
【０１００】
【図１】本発明の実施形態に係るデジタルカメラの背面図を示す。
【図２】モードダイヤルの拡大平面図を示す。
【図３】デジタルカメラの電気的構成のブロック図を示す。
【図４】撮影ヘルプモードにおける動作を説明するための図を示す。
【図５】再生ヘルプモードにおける動作を説明するための図を示す。
【図６】第１ヘルプ画像および第２ヘルプ画像の生成方法を示す。
【図７】領域Ｂに書き込まれるキャラクタ画像を示す。
【図８】デジタルカメラの再生モードおよび撮影モードにおけるルーチンを示す。
【図９】第１ヘルプ画像Ｒ１１表示処理ルーチンを示す。
【図１０】第１ヘルプ画像Ｒ１２表示処理ルーチンを示す。
【図１１】第１ヘルプ画像Ｒ１３表示処理ルーチンを示す。
【図１２】機能説明表示処理ルーチンを示す。
【図１３】第１ヘルプ画像Ｐ１１表示処理ルーチンを示す。
【図１４】第１ヘルプ画像Ｐ１２表示処理ルーチンを示す。
【図１５】機能説明表示処理ルーチンを示す。
【符号の説明】
【０１０１】
１２  十字キー
１３  ヘルプ／Ｆｎボタン
１９  モードダイヤル
２１  ＯＫボタン
１０７  第１のカメライメージ
１０８  第２のカメライメージ
１０９  第３のカメライメージ
【図１】
2005253054.tif 000007
【図２】
2005253054.tif 000008
【図３】
2005253054.tif 000009
【図４】
2005253054.tif 000010
【図５】
2005253054.tif 000011
【図６】
2005253054.tif 000012
【図７】
2005253054.tif 000013
【図８】
2005253054.tif 000014
【図９】
2005253054.tif 000015
【図１０】
2005253054.tif 000016
【図１１】
2005253054.tif 000017
【図１２】
2005253054.tif 000018
【図１３】
2005253054.tif 000019
【図１４】
2005253054.tif 000020
【図１５】
2005253054.tif 000021